(57)【要約】      （修正有）【課題】環境光をフィルタリングし、光の１つ以上の波長が光受信機に向かって通過することを可能にする技術を提供する。【解決手段】フィルタは基板を含んでもよい。フィルタは、基板上に配置された階段状の媒体を含んでもよい。フィルタは、階段状の媒体上に配置された第１のミラーを含んでもよい。第１のミラーは、階段状のミラー表面を形成してもよい。階段状のミラー表面の各段は、フィルタのチャネルのセットに対応してもよい。フィルタは、階段状のミラー表面に配置されたスペーサを含んでもよい。フィルタは、スペーサの別の表面に配置された第２のミラーを含んでもよい。【選択図】図１
2020071488.tif 000002
【特許請求の範囲】
【請求項１】
フィルタであって、
基板と、
前記基板上に配置された階段状媒体と、
前記階段状媒体上に配置された第１のミラーであって、
該第１のミラーは階段状ミラー表面を形成し、
前記階段状ミラー表面の各段は、前記フィルタのチャネルのセットの一つのチャネルに対応する、前記第１のミラーと、
前記階段状ミラー表面に配置されたスペーサと、
前記スペーサの別の表面に配置された第２のミラーと、を備えるフィルタ。
【請求項２】
前記階段状媒体が一次元で階段状である、請求項１に記載のフィルタ。
【請求項３】
前記階段状媒体が二次元で階段状である、請求項１に記載のフィルタ。
【請求項４】
前記フィルタの前記チャネルのセットの波長範囲は、約３８０ナノメートル（ｎｍ）から７８０ｎｍの間である、請求項１に記載のフィルタ。
【請求項５】
前記フィルタの前記チャネルのセットの波長範囲は、約７５０ナノメートル（ｎｍ）から１１００ｎｍの間である、請求項１に記載のフィルタ。
【請求項６】
前記階段状媒体は、前記フィルタの波長範囲で７０％を超える透過率と関連し、
酸化物ベースの媒体、
半導体ベースの媒体、
誘電体ベースの媒体、
ポリマーベースの媒体、
窒化物ベースの媒体、
リン化物ベースの媒体、または
炭化物ベースの媒体のうちの１つである、請求項１に記載のフィルタ。
【請求項７】
前記スペーサは、１．７を超える屈折率と関連し、
水素化シリコンベースのスペーサ、
酸化物ベースのスペーサ、
ゲルマニウムベースのスペーサ、または
シリコンゲルマニウムベースのスペーサのうちの１つである、請求項１に記載のフィルタ。
【請求項８】
前記スペーサは、
気体状スペーサ、
ポリマースペーサ、または
液体スペーサのうちの少なくとも１つである、請求項１に記載のフィルタ。
【請求項９】
前記階段状媒体が柱セットを形成し、
前記柱のセットのうちの少なくとも１つの柱は、非アクティブなチャネルを形成する、請求項１に記載のフィルタ。
【請求項１０】
複数のチャネルに関連付けられた複数のセンサ素子を備えるセンサ素子アレイと、
可変スペーサフィルタと、を備えるシステムであって、
前記可変スペーサフィルタは、
第１の基板と、
前記第１の基板上に配置された階段状媒体と、
前記階段状媒体上に配置された第１のミラーであって、
前記第１のミラーは階段状ミラー表面を形成し、
前記階段状ミラー表面の各段は、前記フィルタのチャネルのセットの一つのチャネルに対応する、前記第１のミラーと、
第２の基板上に配置され、前記第１のミラーに位置合わせ可能な第２のミラーであって、
空洞が前記第１のミラーと前記第２のミラーを分離し、
前記第２のミラーは、前記第１のミラーと前記第２のミラーとの間の間隔が可変であるように、第１のミラーに対して平行移動可能である、前記第２のミラーと、を備えるシステム。
【請求項１１】
前記空洞がスペーサで満たされており、
前記スペーサは、気体スペーサ材料または液体スペーサ材料であり、
前記スペーサは、前記第２のミラーが前記第１のミラーに対して平行移動したときに前記スペーサが前記空洞を満たすように制約されている、請求項１０に記載のシステム。
【請求項１２】
前記チャネルのセットのうちの１つ以上のチャネルは、前記第１のミラーに対して平行移動する前記第２のミラーに基づいて調整可能である、請求項１０に記載のシステム。
【請求項１３】
前記空洞が、第１のスペーサ材料によって少なくとも部分的に充填され、第２のスペーサ材料によって少なくとも部分的に充填され、
前記第１のスペーサ材料と前記第２のスペーサ材料は、
２つの固体スペーサ材料、
固体スペーサ材料と液体スペーサ材料、
固体スペーサ材料と気体スペーサ材料、または
液体スペーサ材料と気体スペーサ材料、のうちの一つである、
請求項１０に記載のシステム。
【請求項１４】
前記第１のミラーに対して前記第２のミラーを平行移動させる平行移動デバイスをさらに含む、請求項１０に記載のシステム。
【請求項１５】
前記第１のミラーに対して前記第２のミラーを角度付ける複数の平行移動デバイスをさらに含む、請求項１０に記載のシステム。
【請求項１６】
マルチチャネルフィルタであって、
階段状構造を形成する媒体と、
階段状構造上に配置され、階段状ミラー構造を形成する、第１のミラーであって、
前記階段状ミラー構造の各段は、前記マルチチャネルフィルタの波長チャネルを形成する前記第１のミラーと、
前記第１のミラー上に配置されたスペーサであって、
前記スペーサの第１の表面は、前記第１のミラーに対して配置され、階段状表面を形成し、前記スペーサの第２の表面は第１のミラーの反対側に位置し、平坦な表面を形成する前記スペーサと、
前記スペーサの前記第２の表面上に配置され、マルチチャネルフィルタ用の平面ミラーを形成する、第２のミラーと、を備える、マルチチャネルフィルタ。
【請求項１７】
前記媒体は、フォトリソグラフィ手順を使用して形成される、請求項１６に記載のマルチチャネルフィルタ。
【請求項１８】
前記スペーサは、単一の配置手順で配置される、請求項１６に記載のマルチチャネルフィルタ。
【請求項１９】
前記第１のミラーまたは前記媒体は、前記スペーサの一部を除去するためのエッチストップである、請求項１６に記載のマルチチャネルフィルタ。
【請求項２０】
前記媒体の前記階段状構造は、
リフトオフ手順、
エッチング手順
モールディング手順、
キャスト手順、
マシニング手順、
スタンピング手順、または
スクレイピング手順のうちの少なくとも１つによって形成される、請求項１６に記載のマルチチャネルフィルタ。
【発明の詳細な説明】
【背景技術】
【０００１】
光送信機は、対象物に向けて発光し得る。例えば、ジェスチャ認識システムでは、光送信機は近赤外線をユーザーに向けて送信してよく、近赤外線はユーザーから光受信機に向けて反射されてよい。この場合、光受信機は、近赤外線に関する情報を取得してもよく、その情報は、ユーザーによって実行されているジェスチャを識別するために使用されてもよい。別の例では、可視光の異なる波長に関する情報などの可視光に関する情報を取得して、対象物を撮像し得る。
【０００２】
しかし、関心波長の光が対象に向かって伝播する間および／または対象からの光が光受信機に向かって反射する間に、関心波長と共に環境光が導入され得る。例えば、光受信機が対象から反射された近赤外線を受信する場合、光受信機は（例えば、電球や太陽などの別の光源から）可視光をも受信し得る。したがって、光受信機は、環境光をフィルタリングし、光の１つ以上の波長が光受信機に向かって通過することを可能にするために、バンドパスフィルタなどの光学フィルタに光学的に結合され得る。追加としてまたは代替として、光の複数の波長を検知する場合、光の複数の波長の、光の各波長が異なるセンサに向けられることを確実にするために、フィルタが提供され得る。
【０００３】
マルチスペクトルセンサデバイスは、光受信機であり得、光の複数の波長に関する情報を取得するために利用され得る。マルチスペクトルセンサデバイスは、情報を取得し、マルチスペクトルフィルタに結合されるセンサ素子のセット（例えば、光学センサ、スペクトルセンサ、および／またはイメージセンサ）を含み得る。たとえば、センサ素子のアレイを使用して、複数の周波数に関連する情報を取得してもよく、マルチスペクトルフィルタは、各センサ素子に、異なる周波数に対応する光を向けてよい。場合によっては、センサ素子アレイの各センサ素子をカバーするために単一のバイナリマルチスペクトルフィルタを配置してもよく、センサ素子アレイ用のチャネルセットを形成してもよい。
【発明の概要】
【０００４】
いくつかの可能な実施形態によれば、フィルタは基板を含んでもよい。フィルタは、基板上に配置された階段状の媒体を含んでもよい。フィルタは、階段状の媒体上に配置された第１のミラーを含んでもよい。第１のミラーは、階段状のミラー表面を形成してもよい。階段状ミラー表面の各段は、フィルタにおける、チャネル、チャネルのセットに対応してもよい。フィルタは、階段状ミラー表面に配置されたスペーサを含んでもよい。フィルタは、スペーサの別の表面に配置された第２のミラーを含んでもよい。
【０００５】
いくつかの可能な実施形態によれば、システムは、複数のチャネルに関連した複数のセンサ素子を備えるセンサ素子アレイを含んでもよい。システムは可変スペーサフィルタを含んでもよい。可変スペーサフィルタは、第１の基板を含んでもよい。可変スペーサフィルタは、第１の基板上に配置された階段状媒体を含んでもよい。可変スペーサフィルタは、階段状媒体上に配置された第１のミラーを含んでもよい。第１のミラーは、階段状ミラー表面を形成してもよい。階段状ミラー表面の各段は、フィルタのチャネル、チャネルのセットに対応してもよい。可変スペーサフィルタは、第２の基板上に配置され、第１のミラーに位置合わせ可能な第２のミラーを含んでもよい。空洞は、第１のミラーと第２のミラーを分離してもよい。第２のミラーは、第１のミラーと第２のミラーとの間の間隔が可変となるように、第１のミラーに対して平行移動可能であってもよい。
【０００６】
いくつかの可能な実施形態によれば、マルチチャネルフィルタは、階段状構造を形成するための媒体を含んでもよい。マルチチャネルフィルタは、階段状構造上に配置され、階段状ミラー構造を形成する第１のミラーを含んでもよい。階段状ミラー構造の各段は、マルチチャネルフィルタの波長チャネルを形成してもよい。マルチチャネルフィルタは、第１のミラー上に配置されたスペーサを含んでもよい。スペーサの第１の表面は、第１のミラーに対して配置され、階段状の表面を形成し、スペーサの第２の表面は、第１のミラーの反対側にあり、平坦な表面を形成する。マルチチャネルフィルタは、スペーサの第２の表面上に配置されマルチチャネルフィルタ用の平坦なミラーを形成する、第２のミラーを含んでもよい。
【図面の簡単な説明】
【０００７】
【図１】本明細書で説明されるマルチスペクトルフィルタの例示的な実施形態の図である。
【図２】本明細書で説明されるマルチスペクトルフィルタのフィルタチャネルの応答バランシングの例示的な実施形態の図である。
【図３Ａ】本明細書で説明されるマルチスペクトルフィルタの例示的な実施形態の図である。
【図３Ｂ】本明細書で説明されるマルチスペクトルフィルタの例示的な実施形態の図である。
【図３Ｃ】本明細書で説明されるマルチスペクトルフィルタの例示的な実施形態の図である。
【図３Ｄ】本明細書で説明されるマルチスペクトルフィルタの例示的な実施形態の図である。
【図４】本明細書に記載のマルチスペクトルフィルタを製造するための例示的なプロセスの図である。
【図５Ａ】図４における例示的プロセスに関連するマルチスペクトルフィルタの例示的な実施形態の図である。
【図５Ｂ】図４における例示的プロセスに関連するマルチスペクトルフィルタの例示的な実施形態の図である。
【図５Ｃ】図４における例示的プロセスに関連するマルチスペクトルフィルタの例示的な実施形態の図である。
【図５Ｄ】図４における例示的プロセスに関連するマルチスペクトルフィルタの例示的な実施形態の図である。
【図５Ｅ】図４における例示的プロセスに関連するマルチスペクトルフィルタの例示的な実施形態の図である。
【図５Ｆ】図４における例示的プロセスに関連するマルチスペクトルフィルタの例示的な実施形態の図である。
【図５Ｇ】図４における例示的プロセスに関連するマルチスペクトルフィルタの例示的な実施形態の図である。
【図５Ｈ】図４における例示的プロセスに関連するマルチスペクトルフィルタの例示的な実施形態の図である。
【図５Ｉ】図４における例示的プロセスに関連するマルチスペクトルフィルタの例示的な実施形態の図である。
【図５Ｊ】図４における例示的プロセスに関連するマルチスペクトルフィルタの例示的な実施形態の図である。
【図５Ｋ】図４における例示的プロセスに関連するマルチスペクトルフィルタの例示的な実施形態の図である。
【図６】本明細書で説明されるマルチスペクトルフィルタを含むセンサシステムの例示的な実施形態の図である。
【発明を実施するための形態】
【０００８】
以下の実施例の詳細な説明は、添付の図面を参照するものである。異なる図面の同じ参照番号は、同一または類似の要素を特定する場合がある。
【０００９】
センサ素子（例えば、光学センサ）は、電磁周波数セットに関する情報（例えば、スペクトルデータ）を取得するために、光学センサデバイスに組み込まれてもよい。例えば、光学センサデバイスは、イメージセンサ、マルチスペクトルセンサ、および／またはその他の光のセンサ測定を実行し得るものを含んでもよい。
光センサデバイスは、相補型金属酸化膜半導体（ＣＭＯＳ）技術、電荷結合素子（ＣＣＤ）技術および／またはその他の１つ以上のセンサ技術を利用してもよい。光学センサデバイスは、それぞれ異なる周波数の光に関する情報を取得するように構成された複数のセンサ素子（例えば、センサ素子のアレイ）を含んでもよい。
【００１０】
センサ素子は、センサ素子への光をフィルタリングするフィルタに関連付けられてもよい。例えば、センサ素子は、リニアバリアブルフィルタ（ＬＶＦ）、サーキュラーバリアブルフィルタ（ＣＶＦ）、ファブリ・ペローフィルタおよび／またはその他と位置合わせされ、センサ素子に向けられた光の一部がフィルタリングされてもよい。ファブリ・ペローフィルタなどのバイナリフィルタ構造の場合、バイナリフィルタ構造の反射器（たとえばミラー）の間にスペーサを配置してもよい。反射器の層、スペーサの層および／またはその他における、屈折率、厚さおよび／またはその他の構成により、バイナリフィルタ構造を構成してチャネルのセットを構成することが可能であり得る。チャネルは、特定の波長範囲の光をセンサ素子アレイのセンサ素子に向けるフィルタの一部であってもよい。このようにして、センサ素子アレイは、光の複数の異なる波長に関する情報を取得し得る。
【００１１】
しかしながら、選択された屈折率、スペーサの厚さおよび／またはその他に、少なくとも部分的に基づいて構成されたチャネルの固定セットは、センサ素子アレイが波長の固定セットの測定を行うことを制限する場合がある。したがって、マルチチャネルフィルタとも呼ばれるバイナリマルチスペクトルフィルタが、対象の波長の光を取得するように構成されていることを確かなものとするために、バイナリマルチスペクトルフィルタは、閾値を超える量のチャネルと、センサ素子とで設計されてもよく、それに応じて、センサ素子アレイは、閾値を超える量のセンサ素子を含んでもよい。これにより、バイナリマルチスペクトルフィルタを使用する際の柔軟性を確保するために、サイズおよび／またはコストが過剰になる場合がある。
【００１２】
さらに、いくつかのバイナリマルチスペクトルフィルタは、異なるスペーサ厚を使用して、異なる波長範囲で異なるチャネルを形成する。これらのバイナリマルチスペクトルフィルタでは、基板上に直接配置される第１平坦ミラーの上部にスペーサ材料の複数の層を配置することにより、異なるスペーサ厚が形成され得る。この場合、スペーサ材料の複数の層が配置されて、階段状構造のスペーサが形成され、第２のミラーがスペーサの階段状構造上に配置される。しかし、スペーサ材料の複数の層を配置すると、不完全性が生じる可能性があり、バイナリマルチスペクトルフィルタの光学性能が低下する可能性がある。たとえば、スペーサ材料に水素化シリコンが使用される場合、水素化シリコンの各層の表面は、層の配置間で部分的に二酸化シリコンに酸化され得、透過率の低下、角度シフトの増加、および／またはその他を引き起こし得る。
【００１３】
本明細書で説明されるいくつかの実施形態は、改善されたスペーサを有するマルチスペクトルフィルタアレイを提供する。たとえば、バイナリマルチスペクトルフィルタには、基板と第１のミラーとの間に配置された階段状媒体が含まれてよく、第１のミラーには階段状表面と、ミラーの階段状表面に配置されたモノリシックスペーサと、モノリシックスペーサの平坦表面に配置された第２のミラーとが設けられる。この場合、複数のスペーサ層を積み重ねて階段状構造を構築するのではなく、単一の手順でスペーサを形成することに基づいて、表面酸化などの欠陥を回避してもよく、それにより光学性能を改善し得る。例えば、モノリシックスペーサは、透過率の改善、角度シフトの低減および／またはその他を可能にし得る。
【００１４】
さらに、本明細書で説明されるいくつかの実施形態は、第２のミラーがスペーサ上に直接配置され、固定位置に配置されるのではなく、第２のミラーが第１のミラーに対して移動可能であってもよい。例えば、第２のミラーは、第１のミラーに対して平行移動可能であってもよく（すなわち、第１のミラーまたは第２のミラーのいずれか、もしくは第１のミラーと第２のミラーの両方を移動させてもよい）、それにより、スペーサによって形成される第１のミラーと第２のミラーとの間にギャップを設けることを可能にし、第２のミラーが移動するときに厚さが変化する。このようにして、一連のチャネルの波長範囲を動的に再構成してもよく、これにより一連のチャネルに合わせたセンサ素子で取得できるスペクトル帯域の量を増やすことができる。さらに、このように、特定のスペクトル範囲をカバーするためのマルチスペクトルフィルタのチャネルの量は、ミラー間のギャップが固定されたマルチスペクトルフィルタに比べて減少し、それによってサイズの縮小、コストの削減および／またはその他が達成される。
【００１５】
図１は、本明細書で説明されるマルチスペクトルフィルタ１００の例示的な実施形態の図である。図１に示されるように、マルチスペクトルフィルタ１００（例えば、バイナリ構造の光学フィルタアレイ）は、基板１１０、媒体１２０、第１のミラー１３０-１、第２のミラー１３０-２、およびスペーサ１４０を含み得る。
【００１６】
いくつかの実施形態では、基板１１０は、光学センサデバイスに関連付けられ得る。例えば、基板１１０は、情報（例えば、スペクトルデータ）を取得するためのセンサ素子のアレイを含んでもよい。追加としてまたは代替として、基板１１０はセンサ素子を含まず、マルチスペクトルフィルタ１００は別の基板上に配置されたセンサ素子に位置合わせされてもよい。追加としてまたは代替として、マルチスペクトルフィルタ１００は、基板１１０なしで設計されてもよい。例えば、マルチスペクトルフィルタ１００は、自由空間に位置し、マルチスペクトルフィルタ１００の一部ではない光学センサデバイスの基板上、および／または他のものに配置されてもよい。
【００１７】
いくつかの実施形態では、マルチスペクトルフィルタ１００は特定のスペクトル範囲に関連付けられてもよい。例えば、マルチスペクトルフィルタ１００は、可視スペクトル範囲、近赤外（ＮＩＲ）スペクトル範囲、中赤外（ＭＩＲ）スペクトル範囲および／またはその他の複数のチャネルに関連付けられてもよい。この場合、マルチスペクトルフィルタ１００は、約３００ナノメートル（ｎｍ）から２５００ｎｍ、３６０ナノメートル（ｎｍ）から２５００ｎｍ、約６００ｎｍから約２０００ｎｍ、約３５０ｎｍから約７５０ｎｍ、３８０ｎｍから約７８０ｎｍ、約７５０ｎｍから約１５００ｎｍ、７５０ｎｍから約１１００ｎｍ、９００ｎｍから約２５００ｎｍ、約９００ｎｍから約１７００ｎｍ、約９００ｎｍから約１５００ｎｍ、および／またはその他のスペクトル範囲と関連付けられてもよい。いくつかの実施形態では、マルチスペクトルフィルタ１００は、８チャネル以上、１６チャネル以上、３２チャネル以上、６４チャネル以上、１２８チャネル以上、２５６チャネル以上および／またはその他の、閾量のチャネルを含むことができる。
【００１８】
図１にさらに示されるように、媒体１２０は、マルチスペクトルフィルタ１００のためのチャネルのセットを形成し得る階段状構造に関連付けられ得る。例えば、本明細書でより詳細に説明するように、フォトリソグラフィ手順を使用して階段状構造を形成することにより、媒体１２０を形成してもよい。いくつかの実施形態では、図示のように、媒体１２０は単一の軸に沿って階段状になっている（すなわち、一次元で階段状になっている）場合がある。例えば、媒体１２０は、単一の軸に沿って延在する８つの異なるチャネルのセットを形成するために階段状にされてもよい。いくつかの実施形態では、媒体１２０は、複数の軸に沿って階段状になっている（すなわち、２次元で階段状になっている）場合がある。例えば、媒体１２０は、単一の軸に直交して階段状となり、合計６４個の異なるチャネルを形成し得る。いくつかの実施形態では、媒体１２０は、１つ以上の繰り返されるチャネルを含み得る。例えば、図示されるように、媒体１２０によって形成されるチャネル７は、マルチスペクトルフィルタ１００の端部に配置され得、マルチスペクトルフィルタ１００の構造的安定性を提供し得る。いくつかの実施形態において、媒体１２０は１つ以上のチャネルを非アクティブにし得る。例えば、チャネル７を形成する媒体１２０の柱と位置合わせされた第１のミラー１３０-１および第２のミラー１３０-２の一部は、スペーサ１４０の一部を挟まないことがある。これにより、チャネル７が非アクティブになる可能性がある（ただし、構造的なサポートのために残る）。追加としてまたは代替として、スペーサ１４０の一部を第１のミラー１３０-１および第２のミラー１３０-２で挟んで、チャネル７をアクティブチャネルにしてもよい。
【００１９】
いくつかの実施形態では、媒体１２０は特定の材料を使用して形成され得る。例えば、媒体１２０は、マルチスペクトルフィルタ１００がスペクトルデータを取得する波長範囲を、透過する材料から形成されてもよい。この場合、材料は、タンタル系媒体材料、ニオブ系媒体材料、二酸化ケイ素系媒体材料、酸化物系媒体材料、ＩＩＩ−Ｖ族半導体系媒体材料、リン化ガリウム系媒体材料、ゲルマニウム系媒体材料、ゲルマニウムシリコン系媒体材料、誘電体系媒体材料、ポリマー系媒体材料、窒化物系媒体材料、リン化物系媒体材料、炭化物系媒体材料、それらの組み合わせおよび／またはその他を含んでもよい。
【００２０】
図１にさらに示すように、第１のミラー１３０-１および第２のミラー１３０-２は、スペーサ１４０を挟んでもよい。言い換えると、スペーサ１４０は、第１のミラー１３０-１および第２のミラー１３０-２を一組の距離で隔ててもよく、および／または、スペーサ１４０の面は、第１のミラー１３０-１および第２のミラー１３０-２によって囲まれてもよい。この場合、一組の距離は、異なるチャネルを形成してもよい。例えば、チャネル０に位置合わせされた第１のミラー１３０-１および第２のミラー１３０-２の第１の部分は、第１の距離だけ分離されてもよく、光の第１の波長帯域を通過する第１のチャネルを形成してもよい。同様に、チャネル１に位置合わせされた第１のミラー１３０-１および第２のミラー１３０-２の第２の部分は、説明されるように、第２の距離だけ離間されてもよく、結果として、媒体１２０は階段状構造を有し、スペーサ１４０に階段状構造をもたらし、本明細書でより詳細に説明されるように、光の第２の波長帯域を通過する第２のチャネルを形成してもよい。この場合、第１チャネルは第１センサ素子に位置合わせされ、第１スペクトル範囲に関するスペクトルデータを取得するための第１コンポーネントフィルタを形成してもよく、第２チャネルは第２センサ素子に位置合わせされ、２番目のスペクトル範囲に関するスペクトルデータを取得する第２コンポーネントフィルタを形成してもよい。
【００２１】
いくつかの実施形態では、ミラー１３０は特定の材料に関連付けられ得る。例えば、ミラー１３０は、一組の金属ミラー層（例えば、銀）、一組の誘電体ミラー層（例えば、交互の水素化シリコン層と二酸化ケイ素層）などを含み、および／または光源からマルチスペクトルフィルタ１００に関連付けられたセンサ素子に向かう光の一部を方向付ける。いくつかの実施形態では、ミラー１３０は、マルチスペクトルフィルタ１００の各チャネルに関連付けられたセンサ素子アレイの各センサ素子と位置合わせしてもよい。
【００２２】
いくつかの実施形態では、スペーサ１４０は、本明細書でより詳細に説明されるように、モノリシックに形成されたスペーサであり得る。例えば、スペーサ１４０は、第１のミラー１３０-１との界面におけるスペーサ１４０の第１の表面が階段状表面で、および第２のミラー１３０-２との界面におけるスペーサ１４０の第２の表面が平坦な表面であるように、第１のミラー１３０-１の階段状表面に材料を配置することによって形成され得る。いくつかの実施態様では、スペーサ１４０は、マルチスペクトルフィルタ１００が特定の波長範囲、透過率（例えば、５０％超、７０％超、９０％超、９５％超、９９％超、９９．９％超、９９．９９％超など）、および／またはその他の特性を有するような特定の材料から形成されてもよい。例えば、スペーサ１４０は、水素化シリコンベーススペーサ、酸化物ベーススペーサ、ゲルマニウムベーススペーサ、シリコンゲルマニウムベーススペーサ、ポリマーベーススペーサ、それらの組み合わせ、および／またはその他とすることができる。いくつかの実施形態では、スペーサ１４０は、１．５より大きい屈折率、１．７より大きい屈折率、２．５より大きい屈折率、３．０より大きい屈折率、３．５より大きい屈折率および／またはその他の屈折率を有し得る。
【００２３】
いくつかの実施形態では、スペーサ１４０は、非固体スペーサ材料を含んでもよい。例えば、スペーサ１４０は、スペーサ１４０のサイズ（すなわち、第１のミラー１３０-１と第２のミラー１３０-２との距離）を、本明細書でより詳細に説明するように拡張または縮小することを可能にするために、気体材料（例えば、空気または別の気体材料）または液体材料から形成され得る。いくつかの実施形態では、スペーサ１４０は複数のスペーサ材料を含んでもよい。例えば、スペーサ１４０は、スペーサ１４０の第１の部分を形成し第１のミラー１３０-１を覆う固体スペーサと、スペーサ１４０の第２の部分を形成し第２のミラー１３０-２を第１のミラー１３０−１に対して平行移動させることを可能とする液体スペーサとを含み得る。同様に、スペーサ１４０は、第１のミラー１３０-１を覆う第１固体スペーサ、第２のミラー１３０-２を覆う第２固体スペーサ、および第２のミラー１３０-２を第１のミラー１３０-１に対して平行移動させることを可能にするために第１固体スペーサと第２固体スペーサの間に配置される第３液体スペーサを含み得る。このようにして、階段状構造を有することに基づいて、スペーサ１４０は、マルチスペクトルフィルタ１００の異なる部分が異なる波長帯域の光を通過させて異なるチャネルを形成することを可能にする。さらに、材料の複数の層なしで、または材料の層の閾値未満の量で、形成されることに基づいて、スペーサ１４０は、スペーサ１４０内の表面酸化の閾値未満の量など、欠陥の閾値未満に関連付けられ得、それにより、マルチスペクトルフィルタ１００の光学性能を改善する。
【００２４】
いくつかの実施形態では、例えば、媒体１２０、第１のミラー１３０−１、第２のミラー１３０−２、スペーサ１４０および／またはその他を形成する層は、高屈折率材料の層のセット（Ｈ層）を含み得る。例えば、シリコン層、水素化シリコン層、シリコンゲルマニウム（ＳｉＧｅ）層、水素化ゲルマニウム層、水素化シリコンゲルマニウム層および／またはその他の層などである。いくつかの実施形態では、例えば、媒体１２０、第１のミラー１３０−１、第２のミラー１３０−２、スペーサ１４０および／またはその他を形成する層は、低屈折率材料のセット（Ｌ層）を含み得る。例えば、二酸化ケイ素層、窒化ケイ素層、五酸化タンタル（Ｔａ２Ｏ５）層、五酸化ニオブ（Ｎｂ２Ｏ５）層、二酸化チタン（ＴｉＯ２）層、酸化アルミニウム（Ａｌ２Ｏ３）層、酸化ジルコニウム（ＺｒＯ２）層、酸化イットリウム（Ｙ２Ｏ３）層、窒化ケイ素（Ｓｉ３Ｎ４）層、それらの組み合わせ、および／またはその他である。いくつかの層は、シリコンゲルマニウムなどの特定の材料として説明されてもよいが、いくつかの層は、（少量の）蛍光体、ホウ素、窒化物および／またはその他を含み得る。
【００２５】
いくつかの実施形態では、例えば、媒体１２０、第１のミラー１３０−１、第２のミラー１３０−２、スペーサ１４０および／またはその他を形成する層は、２層から２００層の範囲の層における交互の高屈折率および低屈折率層などの、特定の量の層に関連付けられ得る。いくつかの実施形態では、１つ以上の層は、スパッタリング手順、フォトリソグラフィ手順、エッチング手順、リフトオフ手順、スクレイピング手順、アニーリング手順、成形手順、鋳造手順、機械加工手順、スタンピング手順および／またはその他を用いて製造されてよい。
【００２６】
いくつかの実施形態では、例えば、媒体１２０、第１のミラー１３０−１、第２のミラー１３０−２、スペーサ１４０および／またはその他を形成する層の各層は、特定の厚さに関連付けられ得る。例えば、各層は、約１ｎｍから約１５００ｎｍの間、約１０ｎｍから約５００ｎｍの間、および／またはその他の厚さに関連付けられてもよい。追加としてまたは代替として、マルチスペクトルフィルタ１００は、約０．１μｍから約１００μｍ、約０．２５μｍから約１００μｍ、および／またはその他の厚さに関連付けられてもよい。
【００２７】
このようにして、マルチスペクトルフィルタ１００は、スペーサ１４０に形成される欠陥の量を減らして複数の波長範囲に関するスペクトルデータを取得するための複数のチャネルを形成し、それによりマルチスペクトルフィルタ１００の光学性能を改善する。
【００２８】
上記のように、図１は単なる一例として提供されている。他の例も可能であり、図１に関して説明したものとは異なる場合がある。
【００２９】
図２は、本明細書で説明されるマルチスペクトルフィルタ２００の例示的な実施形態の図である。図２に示すように、マルチスペクトルフィルタ２００は、第１の基板１１０-１、第２の基板１１０-２、媒体１２０、第１のミラー１３０-１、第２のミラー１３０-２、およびスペーサ１４０を含み得る。
【００３０】
いくつかの実施形態では、第２の基板１１０−２を第２のミラー１３０−２上に積み重ねることができる。例えば、第２のミラー１３０-２は、スペーサ１４０上に配置され得、第２の基板１１０-２は、第２のミラー１３０-２上に配置され得る。追加としてまたは代替として、第２のミラー１３０-２は、第２の基板１１０-２上に配置されてもよい。例えば、媒体１２０は第１の基板１１０-１に配置され得、第１のミラー１３０-１は媒体１２０に配置され得、スペーサ１４０は第１のミラー１３０-１に配置され得、第２のミラー１３０-２は第２の基板１１０-２に配置され得、ならびに第２のミラー１３０-２および第２の基板１１０-２は、第１のミラー１３０-１および第１の基板１１０-１に位置合わせされてもよい。
【００３１】
上記のように、図２は単なる例として提供されている。他の例も可能であり、図２に関して説明したものとは異なる場合がある。
【００３２】
図３Ａ〜図３Ｄは、本明細書で説明されるマルチスペクトルフィルタ３００の例示的な実施形態の図である。図３Ａに示すように、マルチスペクトルフィルタ３００は、第１の基板１１０-１、第２の基板１１０-２、媒体１２０、第１のミラー１３０-１、第２のミラー１３０-２、およびスペーサ１４０を含み得る。図３Ａにさらに示されるように、マルチスペクトルフィルタ３００は、１つ以上の平行移動デバイス３１０に取り付けられる。
【００３３】
図３Ａにさらに示されるように、マルチスペクトルフィルタ３００の第２のミラー１３０-２は、第１のミラー１３０-１に対して可動であり、スペーサ１４０の厚さを可変にし、マルチスペクトルフィルタのチャネルの通過する光のスペクトル範囲を変えることができる。本明細書で説明されるいくつかの実施は、固定された第１のミラー１３０-１に対して平行移動、傾斜、または移動される第２のミラー１３０-２に関して説明されるが、第１のミラー１３０-１は、第２のミラー１３０-２に対して移動されてもよく、第１のミラー１３０-１および第２のミラー１３０-２の両方は、平行移動デバイス３１０および／またはその他によって移動されてもよい。
【００３４】
図３Ｂに示されるように、第２のミラー１３０-２は、第１のミラー１３０-１に対して平行移動デバイス３１０によって並進される。例えば、第２の基板１１０-２および第２のミラー１３０-２は、図３Ａに示される位置に対して第１の基板１１０-１および第１のミラー１３０-１からさらに離れるように移動されてもよい。いくつかの実施形態では、平行移動デバイス３１０は、集束素子、ボイスコイルモータ、圧電トランスデューサ、シリコン微小電気機械システム（ＭＥＭＳ）デバイス、熱機械デバイス、双安定ビームスイッチおよび／またはその他であり得る。
【００３５】
図３Ｃに示されるように、第２のミラー１３０-２は、第２のミラー１３０-２が第１のミラー１３０-１に対して傾斜するように、平行移動デバイス３１０によって並進され得る。例えば、第２の基板１１０-２は、傾斜デバイス、複数の平行移動デバイスおよび／またはその他に取り付けられてもよい。このように、マルチスペクトルフィルタ３００のチャネルの波長範囲はさらに、チャネルの第１部分について第２のミラー１３０−２と第１のミラー１３０−１との間の距離を小さくする、チャネルの第２の部分について第２のミラー１３０−２と第１のミラー１３０-１との間の距離を大きくする、第３の部分について第２のミラー１３０-２と第１のミラー１３０-１との間の距離を維持するおよび／またはその他によって、構成されてもよい。
【００３６】
いくつかの実施形態では、移動デバイスは、特定のタイミング構成に基づいて、第１のミラー１３０−１に対して第２のミラー１３０−２を移動させてよい。例えば、マルチスペクトルフィルタ３００のチャネルに位置合わせされたセンサ素子の読み出し中に、移動デバイスを作動して第２のミラー１３０−２を移動させ、いくつかのチャネルを異なる波長範囲に関連付け、他のチャネルを既定の波長範囲に維持してよい。例として、マルチスペクトルフィルタに、共通の波長範囲を有する複数のチャネルが含まれる場合、図１および２に示されるような複数のチャネル７に関して、移動デバイスは、共通の波長範囲に関連する第１のチャネルの第１のセンサ素子が第２のミラー１３０-２の第１の位置で読み出されるように、および共通の波長範囲に関連する第２のチャネルの第２のセンサ素子が第２のミラー１３０-２の第２の位置で読み出されるように、作動されてもよい。
このようにして、マルチスペクトルフィルタ２００は、共通チャネルを使用して複数のスペクトル範囲を可能にし得る。さらに、移動デバイスは、第１のセンサ素子を第１の位置および第２の位置で読み出しさせてよく、結果として単一のチャネルを使用して複数のスペクトル範囲を取得できる。
【００３７】
いくつかの実施形態では、スペーサ１４０は、第１のミラー１３０−１に対する第２のミラー１３０−２の平行移動に基づいてスペーサ幅が可変となることを可能にするように制約されてよい。例えば、スペーサ１４０は、マルチスペクトルフィルタ３００によって密閉され得る気体スペーサまたは液体スペーサであってよく、第２のミラー１３０−２が第１のミラー１３０−１に対して平行移動するにつれて、気体スペーサまたは液体スペーサが膨張および／または収縮できる。追加としてまたは代替として、スペーサ１４０は、追加の気体スペーサ材料または液体スペーサ材料が第２のミラー１３０−２と第１のミラー１３０−１との間のギャップに設けられてもよく、および／またはギャップから除去されてスペーサが厚みを可変にできるように制約されてもよい。
【００３８】
図３Ｄに示すように、第１のスペーサ１４０−１および第２のスペーサ１４０−２などの複数のスペーサ１４０を、第１のミラー１３０−１と第２のミラー１３０−２との間に配置してもよい。例えば、第１のスペーサ１４０−１は、第１のミラー１３０−１を覆う固体スペーサであってよく、第２のスペーサ１４０−２は、第１のミラー１３０−１と第２のミラー１３０−２との間の可変分離を可能にする気体（または液体）スペーサであってよい。
【００３９】
上記のように、図３Ａ〜３Ｄは単なる例として提供されている。他の例も可能であり、図３Ａ〜３Ｄに関して説明したものとは異なる場合がある。
【００４０】
図４は、本明細書で説明されるマルチスペクトルフィルタを製造するための例示的なプロセス４００のフローチャートである。いくつかの実施形態では、図４の１つ以上のプロセスブロックは、エッチングデバイス、スパッタリングデバイス、フォトリソグラフィデバイスおよび／またはその他による製造手順中に、配置デバイスによって実行され得る。
【００４１】
図４に示されるように、プロセス４００は、基板上に媒体を配置して階段状構造を形成することを含み得る（ブロック４１０）。例えば、配置デバイスは、基板上に媒体を配置して、階段状構造を形成し得る。いくつかの実施形態では、配置デバイスは、媒体の複数の層を積み重ねて、階段状構造を形成し得る。例えば、フォトリソグラフィ材料の複数の層が重ねられ得、媒体の複数の層が積み重ねられ、階段状構造を形成し得る。この場合、フォトリソグラフィ材料の複数の層は、フォトマスクに関して露光され得、フォトリソグラフィ材料を選択的に除去し、媒体の複数の層に階段状構造を形成させる。媒体用の階段状構造のフォトリソグラフィ形成については、図５Ａ〜５Ｋについて詳細に説明する。追加としてまたは代替として、媒体を基板上に配置して、エッチング手順を使用して階段状構造を形成することができる。例えば、媒体が基板上に配置され、その後、エッチングされて階段状構造を形成してもよい。本明細書で説明するいくつかの実施形態は、フォトリソグラフィ手順またはエッチング手順に関して説明されているが、階段状の媒体構造を形成するための他の手順も可能である。
【００４２】
図４に示されるように、プロセス４００は、階段状ミラー構造を形成するためにマルチチャネルフィルタ用の第１のミラーを媒体上に配置することを含み得る（ブロック４２０）。例えば、配置デバイスは、媒体上に第１のミラーを配置してもよい。この場合、第１のミラーは、第１のミラーが配置される、階段状構造を有する媒体に基づいて階段状構造を形成してもよい。
【００４３】
図４に示されるように、プロセス４００は、マルチチャネルフィルタ用のスペーサを第１のミラー上に配置することを含み得る（ブロック４３０）。例えば、配置デバイスは、第１のミラー上にスペーサを配置し得る。この場合、スペーサは、単一の配置手順を使用して配置された固体スペーサであり得、これは、複数の配置手順およびエッチング手順を使用したスペーサの配置と比較して、光学性能に対する表面層酸化に基づく影響を低減し得る。追加としてまたは代替として、スペーサは、第１のミラーおよび第２のミラーによって形成される空洞に挿入され得る液体スペーサまたは気体スペーサであってもよく、これにより、平行移動可能なミラーを有する可変スペーサバイナリマルチスペクトルフィルタが可能になり得る。いくつかの実施形態では、スペーサは平坦な表面を形成してもよい。例えば、スペーサは、第１のミラーの階段状ミラー表面と接続する第１表面が階段状になり、スペーサの反対側の第２表面が平坦になるように、第１のミラー上に配置され得る。この場合、スペーサをエッチングしてスペーサの一部を除去し、平坦な表面を形成してもよい。いくつかの実施形態では、第１のミラーまたは媒体は、スペーサをエッチングして平坦な表面を形成するためのエッチストップを形成し得る。
【００４４】
図４に示されるように、プロセス４００は、スペーサの第２の表面上に、第２のミラーを配置して、マルチチャネルフィルタ用の平坦ミラーを形成することを含み得る（ブロック４４０）。例えば、配置デバイスは、ミラーが平坦ミラーであるように、スペーサの第２の表面上に第２のミラーを配置してもよい。いくつかの実施形態では、第２のミラーは第１のミラーに位置合わせされてもよい。例えば、第２のミラーを別の基板上に配置してもよく、第２のミラーと他の基板を第１のミラーに位置合わせして、第２のミラーと他の基板が第１のミラーに対して平行移動して可変厚スペーサを形成するようにしてもよい。このようにして、複数のチャネルでマルチスペクトルフィルタを形成してよい。
【００４５】
図４はプロセス４００の例示的なブロックを示すが、いくつかの実施形態では、プロセス４００は、図４に図示されるものよりも追加のブロック、より少ないブロック、異なるブロック、または配置が異なるブロックを含み得る。追加としてまたは代替として、プロセス４００の２つ以上のブロックは並行して実行されてもよい。
【００４６】
図５Ａ〜５Ｋは、プロセス４００に関連する例示的な実施形態の図である。図５Ａ〜５Ｋは、本明細書で説明されるマルチスペクトルフィルタを製造するための例示的なプロセスを示す。
【００４７】
図５Ａ中にダイアグラム５００により示されるように、フォトレジスト５５２は基板１１０上に配置され得る。ダイアグラム５０２により示されるように、フォトマスク５５４および５５６はフォトレジスト５５２の上部に配置され得る。
【００４８】
図５Ｂ中にダイアグラム５０４により示されるように、フォトマスク５５４および５５６、ならびにフォトレジスト５５２のフォトマスク５５４および５５６によって覆われていない部分は、露光され得る。ダイアグラム５０６に示されるように、露光に基づいて、フォトレジスト５５２のフォトマスク５５４および５５６によって覆われていない部分は、基板１１０上に配置されたままであり得る。
【００４９】
図５Ｃ中にダイアグラム５０８により示すように、媒体１２０の層を基板１１０およびフォトレジスト５５２の残りの部分に積み重ねることができる。ダイアグラム５１０に示すように、フォトレジスト５５２の残りの部分を除去する。この場合、基板１１０上に配置された媒体１２０の層の一部が残り、フォトレジスト５５２の残りの部分が除去された最初の段を形成することがある。ダイアグラム５１２に示されるように、別のフォトレジスト層５５２が媒体１２０および基板１１０上に配置され得る。
【００５０】
図５Ｄ中にダイアグラム５１４により示されるように、別のフォトマスク（図示せず）の使用および露光に基づいて、フォトレジスト５５２の他の層の一部のみが残ってもよい。ダイアグラム５１６によって示されるように、媒体１２０の別の層が配置され得る。
【００５１】
図５Ｅ中にダイアグラム５１８によって示されるように、フォトレジスト５５２の他の層が除去され、媒体１２０が２つの段を形成する結果となり得る。ダイアグラム５２０によって示されるように、フォトレジスト５５２の別の層が媒体１２０および基板１１０上に配置され得る。
【００５２】
図５Ｆ中にダイアグラム５２２によって示されるように、別のフォトマスク（図示せず）の使用および露光に基づいて、フォトレジスト５５２の他の層の一部のみが残ってもよい。ダイアグラム５２４によって示されるように、媒体１２０の別の層が配置され得る。
【００５３】
図５Ｇ中にダイアグラム５２６によって示されるように、フォトレジスト５５２の他の層が除去され、媒体１２０が３つの段を形成する結果となる場合がある。ダイアグラム５２８によって示されるように、フォトレジスト５５２の別の層が媒体１２０および基板１１０上に配置され得る。
【００５４】
図５Ｈ中にダイアグラム５３０により示されるように、別のフォトマスク５５４および５５６（図示せず）の使用および露光に基づいて、フォトレジスト５５２の他の層の一部のみが残ってもよい。ダイアグラム５３２によって示されるように、媒体１２０の別の層が配置され得る。
【００５５】
図５Ｉ中にダイアグラム５３４により示されるように、フォトレジスト５５２の他の層が除去され、媒体１２０が４つの段を形成する結果となる場合がある。ダイアグラム５３６に示されるように、さらなるフォトリソグラフィ手順の後、マルチスペクトルフィルタの各エッジのチャネルが共通のチャネルである媒体１２０により、６つの段のセットが形成され得る。
【００５６】
図５Ｊ中にダイアグラム５３８により示されるように、第１のミラー５５８は、媒体１２０により形成される６段のセット上に配置され得る。ダイアグラム５４０により示されるように、スペーサ５６０は第１のミラー５５８上に配置され得る。第１のミラー５５８との界面におけるスペーサ５６０の第１の表面は、階段状の表面を有する第１のミラー５５８に基づいて階段状になっている。さらに、スペーサ５６０の第２の表面は非平坦表面である。
【００５７】
図５Ｋ中にダイアグラム５４２により示すように、エッチング手順は、スペーサ５６０の第２の表面の一部を除去して、スペーサ５６０の第２の表面を平坦な表面にしてもよい。ダイアグラム５４４に示すように、第２のミラー５６２は、スペーサ５６０の平坦な第２の表面上に配置される。この場合、階段状の第１の表面および平坦な第２の表面に基づいて、スペーサ５６０は、スペーサ５６０に複数の層を配置することなく、マルチスペクトルフィルタ用の複数のチャネルを形成する。
【００５８】
上記のように、図５Ａ〜５Ｋは単なる例として提供されている。他の例も可能であり、図５Ａ〜５Ｋに関して説明したものとは異なる場合がある。
【００５９】
図６は、本明細書で説明される例示的な実施形態６００の図である。図６に示されるように、実施例６００は、センサシステム６１０を含む。センサシステム６１０は、光学システムの一部であり得、センサ測定に対応する電気出力を提供し得る。例えば、センサシステム６１０は、生体認証システム、セキュリティシステム、ヘルスモニタリングシステム、物体識別システム、分光識別システム、イメージングシステムおよび／またはその他の一部であってもよい。センサシステム６１０は、光学フィルタ６３０を含む光学フィルタ構造６２０と、光学センサ６４０のセット（例えば、センサ素子アレイ）とを含む。例えば、光学フィルタ構造６２０は、バンドパスブロッキング機能および／またはその他を実行する光学フィルタ６３０を含み得る。いくつかの実施形態では、光学フィルタ６３０は、階段状媒体およびモノリシックスペーサを備えたマルチスペクトルフィルタや、可変厚さスペーサを備えたマルチスペクトルフィルタおよび／またはその他のマルチスペクトルフィルタであってもよい。センサシステム６１０は、光信号をターゲット６６０（例えば、人、物体など）に向けて送信する光送信機６５０を含む。
【００６０】
本明細書で説明される実施形態は、センサシステムの光学フィルタに関して説明され得るが、本明細書で説明される実施形態は、別のタイプのシステムで使用されてもよく、センサシステムの外部および／またはその他で使用されてもよい。
【００６１】
いくつかの実施形態では、光学フィルタ６３０および光学センサ６４０の別の配置を利用してもよい。例えば、光学フィルタ６３０は、光信号の第２の部分を入力光信号と同一直線上に通過させるのではなく、光信号の第２の部分を別の位置にある光学センサ６４０へ別の方向に向けることができる。いくつかの実施形態では、光学センサ６４０は、アバランシェフォトダイオード、ヒ化インジウムガリウム（ＩｎＧａＡｓ）検出器、赤外線検出器および／またはその他であり得る。
【００６２】
図６および参照番号６７０によりさらに示されるように、入力光信号は、光学フィルタ構造６２０に向けられる。入力光信号は、光送信機６５０から放射される可視光、近赤外線、中赤外線および／またはその他、ならびにセンサシステム６１０が利用されている環境からの環境光を含み得る。たとえば、光学フィルタ６３０が複数のチャネルを備えたバンドパスマルチスペクトルフィルタである場合、光送信機６５０は、分光測定のために近赤外線の複数の波長範囲を対象に向けてよく、光学センサ６４０が近赤外線の複数の波長範囲の測定を実行できるようにするために、近赤外線はターゲット６６０（例えば、対象物）で光学センサ６４０に向けて反射されてよい。この場合、環境光は、１つ以上の周囲光源（例えば、電球または太陽）から光学センサ６４０に向けられ得る。
【００６３】
別の例では、図示のように、複数の光線をターゲット６６０に向け、複数の光線のサブセットを光学フィルタ構造６２０に向けて反射させてよく、光学フィルタ構造６２０は光学センサ６４０に対して傾斜角で配置してよい。いくつかの実施形態では、別の傾斜角が使用されてもよい。いくつかの実施形態では、光学フィルタ構造６２０は、光学センサ６４０上に直接配置および／または形成され、光学センサ６４０および／またはその他から距離を置いて（例えば、自由空間光通信を介して）配置され得る。例えば、光学フィルタ構造６２０は、例えばフォトリソグラフィ、スパッタ堆積技術（例えば、スパッタ堆積の不活性ガス混合物としてアルゴンガスとヘリウムガスを使用）、および／またはその他を使用して、光学センサ６４０上にコーティングおよびパターニングされ得る。
【００６４】
別の例では、光送信機６５０は、ジェスチャ認識システムでジェスチャを検出する、車両に近接する物体を検出する、視覚障害者に近接する物体を検出する、物体への近接を検出する（例えば、ＬＩＤＡＲ技術を使用）および／またはその他のために、近赤外線を別のタイプのターゲット６６０に向けてよく、ならびに近赤外線および環境光は、結果として光学センサ６４０に向けられ得る。
【００６５】
いくつかの実施形態では、光信号の一部は、光学フィルタ６３０および光学フィルタ構造６２０を通過する。例えば、光学フィルタ６３０の異なるチャネルの異なるスペーサ厚さにより、光の第１の部分が反射され、光の第２の部分が通過させられ得る。この場合、光学フィルタ６３０は、階段状媒体に関連するスペーサによって形成された複数のチャネルを含み得、各チャネルは異なる波長の光を通過させ得る。追加としてまたは代替として、２つ以上のチャネルが光の共通波長を通過させてもよい。
【００６６】
図６および参照番号６８０によりさらに示されるように、光学センサ６４０に通過する光信号の一部に基づいて、光学センサ６４０は、センサシステム６１０に、分光測定、ユーザーのジェスチャの認識、オブジェクトの存在の検出および／またはその他のための出力電気信号を提供し得る。
【００６７】
上記のように、図６は単なる例として提供されている。他の例も可能であり、図６に関して説明したものとは異なる場合がある。
【００６８】
前述の開示は、例示および説明を提供するが、網羅的であることまたは実施形態を開示された正確な形式に限定することを意図していない。上記の開示に照らして修正および変更が可能であり、または修正および変更は実施形態から取得することができる。
【００６９】
いくつかの実施形態は、閾値に関連してここで説明される。本明細書で使用するとき、閾値を満たすとは、閾値より大きい、閾値より多い、閾値より高い、閾値以上、閾値より小さい、閾値より少ない、閾値より低い、閾値以下、閾値と同じおよび／またはその他の値を指し得る。
【００７０】
特徴の特定の組み合わせが特許請求の範囲に記載され、かつ／または明細書に開示されているが、これらの組み合わせは、可能な実施形態の開示を限定することを意図していない。実際、これらの特徴の多くは、特許請求の範囲に具体的に記載されていないおよび／または明細書に開示されていない方法で組み合わせることができる。特許請求の範囲に記載の各従属項は、１つの請求項のみに直接従属する場合があるが、可能な実施形態の開示には、請求項一式内の他のすべての請求項と組み合わせた各従属クレームが含まれる。
【００７１】
本書で使用されている要素、行為、または指示は、明示的に説明されていない限り、不可欠または必須と解釈されるべきではない。さらに、「〜に基づいて」という語句は、特に明記しない限り、「少なくとも部分的に基づいて」を意味することを意図している。
【符号の説明】
【００７２】
１００    マルチスペクトルフィルタ
１１０    基板
１１０-１  第１の基板
１１０-２  第２の基板
１２０    媒体
１３０-１  第１のミラー
１３０-２  第２のミラー
１４０    スペーサ
１４０-１  第１のスペーサ
１４０-２  第２のスペーサ
２００    マルチスペクトルフィルタ
３００    マルチスペクトルフィルタ
３１０    平行移動デバイス
４００    マルチスペクトルフィルタを製造するための例示的なプロセス
４１０    基板上に媒体を配置して階段状構造を形成するプロセス
４２０    階段状ミラー構造を形成するためにマルチチャネルフィルタ用の第１のミラーを媒体上に配置するプロセス
４３０    マルチチャネルフィルタ用のスペーサを第１のミラー上に配置するプロセス
４４０    スペーサの第２の表面上に第２のミラーを配置してマルチチャネルフィルタ用の平坦ミラーを形成するプロセス
５５２    フォトレジスト
５５４    フォトマスク
５５６    フォトマスク
５５８    第１のミラー
５６０    スペーサ
５６２    第２のミラー
６１０    センサシステム
６２０    光学フィルタ構造
６３０    光学フィルタ
６４０    光学センサ
６５０    光送信機
６６０    ターゲット
６７０    入力光信号
６８０    出力電気信号
【図１】
2020071488.tif 000003
【図２】
2020071488.tif 000004
【図３Ａ】
2020071488.tif 000005
【図３Ｂ】
2020071488.tif 000006
【図３Ｃ】
2020071488.tif 000007
【図３Ｄ】
2020071488.tif 000008
【図４】
2020071488.tif 000009
【図５Ａ】
2020071488.tif 000010
【図５Ｂ】
2020071488.tif 000011
【図５Ｃ】
2020071488.tif 000012
【図５Ｄ】
2020071488.tif 000013
【図５Ｅ】
2020071488.tif 000014
【図５Ｆ】
2020071488.tif 000015
【図５Ｇ】
2020071488.tif 000016
【図５Ｈ】
2020071488.tif 000017
【図５Ｉ】
2020071488.tif 000018
【図５Ｊ】
2020071488.tif 000019
【図５Ｋ】
2020071488.tif 000020
【図６】
2020071488.tif 000021
【外国語明細書】
2020071488000001.pdf